(57)【要約】【課題】本発明は、大画面の表示部が設けられた表示装置において、表示画面の全面を保護するとともに携帯時における装置本体を小型化すること、小型化された装置本体の操作時のグリップ性を向上させることができる表示装置を提供する。【解決手段】デジタルカメラ１００の液晶モニタ１１０を覆うカバー１１２を、液晶モニタ１１０を覆う第１の形態とグリップ部として構成される第２の形態とに変形可能とする。被写体を撮像する場合、画像を再生する場合には、カバー１１２を第２の形態に変形させ、カバーをグリップ部として利用する。デジタルカメラ１００を携帯する場合には、カバー１１２を第１の形態に変形させる。これにより、コンパクトな状態でデジタルカメラ１００を携帯できる。【選択図】  図１１
2007163589.tif 000002
【特許請求の範囲】
【請求項１】
装置本体に表示部が設けられた表示装置において、
前記表示部を覆う第１の形態とグリップを構成する第２の形態とに変形可能なカバー部材が設けられたことを特徴とする表示装置。
【請求項２】
前記カバー部材の前記第１の形態、第２の形態を検出する検出手段と、
前記検出手段によってカバー部材が第１の形態であることを検出すると前記表示部をＯＦＦにし、カバー部材が第２の形態であることを検出すると表示部をＯＮにする表示部駆動手段と、を備えたことを特徴とする請求項１に記載の表示装置。
【請求項３】
前記カバー部材の前記第１の形態、第２の形態を検出する検出手段と、
前記検出手段によってカバー部材が第１の形態であることを検出すると前記表示装置の電源をＯＦＦにし、カバー部材が第２の形態であることを検出すると表示装置の電源をＯＮにする電源スイッチと、を備えたことを特徴とする請求項１又は２に記載の表示装置。
【請求項４】
前記カバー部材に、表示装置の操作手段が設けられたことを特徴とする請求項１、２又は３のうちいずれか一つに記載の表示装置。
【発明の詳細な説明】
【技術分野】
【０００１】
本発明は表示装置に係り、特に装置本体に表示部が設けられた携帯型のフォトプレーヤー、ＤＶＤプレーヤー、及びデジタルカメラ等の表示装置に関する。
【背景技術】
【０００２】
液晶モニタ等の表示部が設けられた表示装置、特にデジタルカメラでは、表示部の大画面化に伴い、グリップ性の向上とカメラ本体の小型化とが相反する課題となってきている。すなわち、大画面の表示部を有するデジタルカメラにおいて、グリップ性を向上させるためには、グリップ部の分だけカメラ本体を大型にせざるを得ない。また、デジタルカメラでは、表示画面の大画面化に伴い表示画面を傷、汚れから保護するため、様々な工夫がなされている。例えば、特許文献１には、表示画面の全面を保護するカバー部材が内蔵されたデジタルカメラが開示されている。
【０００３】
このデジタルカメラは、カメラ本体のグリップ部に、表示画面の全面を保護する複数枚のカバー部材（遮光板）が収納され、携帯時にはグリップ部からカバー部材を表示画面に向けて一枚ずつスライドさせて引き出していき表示画面の全面を覆う。また、撮影時には、カバー部材をグリップ部に順次収納し、表示画面を露出する。
【特許文献１】特開平１１−２９８７７３号公報
【発明の開示】
【発明が解決しようとする課題】
【０００４】
しかしながら、特許文献１に開示されたカメラは、大画面の表示部が搭載されたカメラ本体に、固定型のグリップ部が設けられているので、グリップ部の分だけカメラが大型になり携帯性が悪いという欠点があった。また、特許文献１のカメラは、カバー部材を収納するだけのスペースをグリップ部に形成しているため、その分だけグリップ部が大型になり、よってカメラが大型になるという問題があった。
【０００５】
本発明はこのような事情に鑑みてなされたもので、大画面の表示部が設けられた表示装置において、表示画面の全面を保護するとともに携帯時における装置本体を小型化すること、小型化された装置本体の操作時のグリップ性を向上させることができる表示装置を提供することを目的とする。
【課題を解決するための手段】
【０００６】
請求項１に記載の発明は、前記目的を達成するために、装置本体に表示部が設けられた表示装置において、前記表示部を覆う第１の形態とグリップを構成する第２の形態とに変形可能なカバー部材が設けられたことを特徴とする。
【０００７】
請求項１に記載の発明によれば、変形可能なカバー部材を装置本体に設け、携帯時には、大画面表示部の全面を覆う第１の形態にカバー部材を変形させ、使用時にはグリップを構成する第２の形態にカバー部材を変形させる。これにより、大画面の表示部が設けられた表示装置において、表示画面の全面をカバー部材によって保護することができる。また、携帯時にはグリップ部が存在しないので、携帯時における装置本体を小型化することができる。更に、使用時には、カバー部材がグリップ部として機能するので、小型化された装置本体の操作時のグリップ性が向上する。
【０００８】
請求項２に記載の発明は、請求項１において、前記カバー部材の前記第１の形態、第２の形態を検出する検出手段と、前記検出手段によってカバー部材が第１の形態であることを検出すると前記表示部をＯＦＦにし、カバー部材が第２の形態であることを検出すると表示部をＯＮにする表示部駆動手段と、を備えたことを特徴とする。
【０００９】
請求項２によれば、カバー部材が第１の形態であることが検出手段によって検出されると、表示部駆動手段が表示部を自動的にＯＦＦにし、カバー部材が第２の形態であることが検出手段によって検出されると、表示部駆動手段が表示部を自動的にＯＮにする。これにより、カバー部材の形態を変更する動作によって表示部を、その形態に対応したＯＮ状態とＯＦＦ状態とに自動的に切り替えることができる。
【００１０】
請求項３に記載の発明は、請求項１又は２において、前記カバー部材の前記第１の形態、第２の形態を検出する検出手段と、前記検出手段によってカバー部材が第１の形態であることを検出すると前記表示装置の電源をＯＦＦにし、カバー部材が第２の形態であることを検出すると表示装置の電源をＯＮにする電源スイッチと、を備えたことを特徴とする。
【００１１】
請求項３に記載の発明によれば、カバー部材が第１の形態であることが検出手段によって検出されると、電源スイッチが表示装置を自動的にＯＦＦにし、カバー部材が第２の形態であることが検出手段によって検出されると、電源スイッチが表示装置を自動的にＯＮにする。これにより、カバー部材の形態を変更する動作によって表示装置を自動的にＯＮ、ＯＦＦすることができる。
【００１２】
請求項４に記載の発明は、請求項１、２又は３において、前記カバー部材に、表示装置の操作手段が設けられたことを特徴とする。
【００１３】
請求項４に記載の発明によれば、表示装置の操作手段をカバー部材に設けたので、カバー部材がグリップを構成する第２の形態に変形した際に、カバー部材を握るユーザーの手によって操作手段を操作できる。これにより、操作手段の操作性が向上する。
【発明の効果】
【００１４】
本発明に係る表示装置によれば、大画面の表示部が設けられた表示装置において、表示画面の全面をカバー部材によって保護することができ、また、携帯時にはグリップ部が存在しないので、携帯時における装置本体を小型化することができ、更に、使用時には、カバー部材がグリップ部として機能するので、小型化された装置本体の操作時のグリップ性が向上する。
【発明を実施するための最良の形態】
【００１５】
以下、添付図面に従って本発明に係る表示装置の好ましい実施の形態について説明する。ここで図１〜図７は、液晶モニタ（表示部）が設けられたフォトプレーヤーの実施例であり、図８〜図１６は、液晶モニタが設けられたデジタルカメラの実施例である。なお、本発明はフォトプレーヤー、デジタルカメラに限定されるものではなく、表示部を備えた携帯情報端末、ＤＶＤプレーヤー、携帯電話機、ゲーム機器に適用可能である。
【００１６】
図１は、実施の形態のフォトプレーヤー１０の携帯時の形態を正面から見た斜視図であり、図２は、フォトプレーヤー１０の使用時の形態を正面から見た斜視図である。このフォトプレーヤー１０の本体ケース（装置本体）１２は、厚み方向に薄い扁平な略直方体の外観を呈するとともに、本体ケース１２の縦方向の寸法に対して横方向の寸法が長い横長の形状を呈している。
【００１７】
本体ケース１２には図２の如く、縦横比が９：１６の液晶モニタ（表示部）１４が設けられている。この液晶モニタ１４は、本体ケース１２に対して可能な限り大画面サイズのものが使用されている。また、本体ケース１２には図１の如く、液晶モニタ１４の画面全面を覆う帯状に形成されたカバー（カバー部材）１６が設けられている。このカバー１６は、可撓性プラスチック又はゴム等の変形可能な材料で作られており、液晶モニタ１４を覆う第１の形態（図１参照）と、液晶モニタ１４を露出するとともに本体ケース１２の側方に円弧状に変形しグリップを構成する第２の形態（図２参照）とに変形される。
【００１８】
帯状に形成されたカバー１６の右辺部には、略円柱部１６Ａが形成され、この略円柱部が、本体ケース１２の右側背面に形成された凹部１２Ａに嵌合されることにより、カバーが本体ケース１２に着脱自在に取り付けられる。また、カバー１６の左辺部は上下に係止部１６Ｂ（下部の係止部は不図示）が形成され、この係止部１６Ｂが本体ケース１２の上下面に横方向に形成されたレール１２Ｂ（下部のレールは不図示）に嵌合されている。この状態でカバー１６の係止部１６Ｂを、図１の始端位置から右方向にスライドさせると、液晶モニタ１４の表示面が露出されていく。そして、図２のレール１２Ｂの終端位置において係止部１６Ｂがレール１２Ｂにそのフリクションにて係止されることにより、カバー１６が第２の形態に維持される。
【００１９】
なお、符号１７は、カバー１６をスライドさせるための指掛かり部である。また、このカバー１６は、本体ケース１２に固定してもよく、本体ケース１２がプラスチック製であれば本体ケース１２と一体成形してもよい。更に、カバー１６は、不透明でも透明でもよい。透明であれば、第１の形態時において、液晶モニタ１４の存在をカバー１６を介して視認することができるので、商品としてのデザインが向上する。
【００２０】
一方、本体ケース１２の右上面には、フォトプレーヤー１０を操作するための各種操作ボタン１８、２０、２２が隣接して配置されている。操作ボタン１８は、画像再生時に開始／停止を指示するボタンであり、操作ボタン２０はコマ送りを指示ボタン、操作ボタン２２は、巻き戻しを指示するボタンである。なお、操作ボタンの数及び操作内容はこれに限定されるものではなく、早送り、チャプターマーク付加、一時停止等の機能を指示するボタンを追加してもよい。
【００２１】
このフォトプレーヤー１０は、図３の如く中央処理装置（ＣＰＵ：表示部駆動手段）２４によってその全体動作が統括制御されている。 このＣＰＵ２４は、所定のプログラムに従ってプレーヤーシステムを制御する制御手段として機能する。また、ＣＰＵ２４にバス２６を介して接続されたＲＯＭ２８には、ＣＰＵ２４が実行するプログラム及び制御に必要な各種データ等が格納されている。更に、メモリ３０は、ＣＰＵ２４の演算作業用領域として利用される。記録部（ＨＤＤ）３２は画像データ専用の一時記憶メモリである。液晶モニタ１４は、ＣＰＵ２４によって読み出された記録部（ＨＤＤ）３２に記憶された画像、及び記録メディア３４に記憶された画像を表示する。この液晶モニタ１４は液晶ディスプレイであるが、これに代えて、有機ＥＬなど他の方式の表示装置を用いることも可能である。
【００２２】
フォトプレーヤー１０は、図２の如く本体ケース１２の左側面にメディアソケット３６を有し、メディアソケット３６には記録メディア３４が装着される。記録メディア３４の形態は特に限定されず、スマートメディア（商標）に代表される半導体メモリカード、可搬型小型ハードディスク、磁気ディスク、光ディスク、光磁気ディスクなど、種々の媒体を用いることができる。図３に示したメディアコントローラ３８は、メディアソケット３６に装着される記録メディア３４に適した入出力信号の受け渡しを行うために所要の信号変換を行う。
【００２３】
また、フォトプレーヤー１０は、カバー１６が図２に示した第２の形態に変形されると、レール１２Ｂの終端位置に配置された図３のリーフスイッチ（検出手段：電源スイッチ）４０がカバー１６の係止部１６Ｂに押圧されることによりＯＮになる。これにより、電源部４２からＣＰＵ２４に電源が供給され、液晶モニタ１４がＯＮとなり、画像表示可能な状態となる。これとは逆に、カバー１６が図１に示した第１の形態に変形されると、図３のリーフスイッチ４０がカバー１６の係止部１６Ｂから開放されることによりＯＦＦとなる。これにより、フォトプレーヤー１０の電源がＯＦＦになり、液晶モニタ１４がＯＦＦになる。なお、検出手段としてリーフスイッチ４０を例示したが、これに限定されるものではなく、カバー１６の第２の形態を検出可能なスイッチであれば、如何なるものでもよい。また、カバー１６の第１の形態を検出する検出手段を設けてもよい。この場合、カバー１６が図１に示した第１の形態に変形されると、検出手段がそれを検出して電源をＯＦＦにする。
【００２４】
次に、前記の如く構成されたフォトプレーヤー１０の使用方法について説明する。
【００２５】
フォトプレーヤー１０にて画像を観賞（再生）する場合には、カバー１６を図１に示した第１の形態から図２に示した第２の形態に変形させる。これにより、図３のリーフスイッチ４０がＯＮになり、フォトプレーヤー１０に電源が投入される。この後、グリップ部として機能するカバー１６を図４の二点鎖線の如くユーザーの右手４４で把持し、各種操作ボタン１８、２０、２２を右手４４の指で操作することにより、記録部（ＨＤＤ）３２や記録メディア３４に記憶された動画、静止画像を液晶モニタ１４に表示させる。これによって、フォトプレーヤー１０にて画像を観賞することができる。
【００２６】
次に、フォトプレーヤー１０を携帯する際には、カバー１６を図２に示した第２の形態から図１に示した第１の形態に変形させる。これにより、図３のリーフスイッチ４０がＯＦＦになり、フォトプレーヤー１０の電源がＯＦＦになる。この状態でフォトプレーヤー１０を携帯する。
【００２７】
したがって、このように構成されたフォトプレーヤー１０によれば、変形可能なカバー１６を本体ケース１２に設け、携帯時には、液晶モニタ１４の全面を覆う第１の形態にカバー１６を変形させ、使用時にはグリップを構成する第２の形態にカバー１６を変形させるので、大画面の液晶モニタ１４が設けられたフォトプレーヤー１０において、液晶モニタ１４の全面をカバー１６によって保護することができる。また、携帯時にはグリップ部が存在しないので、携帯時における本体ケース１２を小型化することができる。更に、画像の観賞時には、カバー１６がグリップ部として機能するので、小型化された本体ケース１２の操作時のグリップ性が向上する。
【００２８】
また、フォトプレーヤー１０は、カバー１６が第２の形態であることがリーフスイッチ４０のＯＮ動作によって検出されると、ＣＰＵ２４が液晶モニタ１４を自動的にＯＮにし、カバー１６が第１の形態であることがリーフスイッチ４０のＯＦＦ動作によって検出されると、ＣＰＵ２４が液晶モニタ１４を自動的にＯＦＦにする。これにより、カバー１６の形態を変更する動作によって液晶モニタ１４を、その形態に対応したＯＮ状態とＯＦＦ状態とに自動的に切り替えることができる。
【００２９】
更に、フォトプレーヤー１０は、カバー１６が第２の形態であることがリーフスイッチ４０のＯＮ動作によって検出されると、フォトプレーヤー１０の電源が自動的にＯＮになり、カバー１６が第１の形態であることがリーフスイッチ４０のＯＦＦ動作によって検出されると、フォトプレーヤー１０の電源が自動的にＯＦＦになる。これにより、カバー１６の形態を変更する動作によってフォトプレーヤー１０を自動的にＯＮ、ＯＦＦすることができる。
【００３０】
図５〜図７は、フォトプレーヤー５０の別実施例を示した説明図である。
【００３１】
このフォトプレーヤー５０は、操作ボタン１８、２０、２２が配置されたボタンプレート５２を本体ケース１２の上面に対し、図５に示す携帯時の位置と図６、図７に示す使用時の位置との間でスライド移動自在に設けたものである。この場合、操作ボタン１８、２０、２２は、不図示のフレキシブル基板を介して図３に示したＣＰＵ２４に接続されている。
【００３２】
図６、図７の如く、使用時においてボタンプレート５２を、本体ケース１２の側部からグリップ部として機能しているカバー１６に向けて突出させることにより、操作ボタン１８、２０、２２が、カバー１６を把持しているユーザーの右手４４に近づくので、操作ボタン１８、２０、２２の操作性が向上する。このフォトプレーヤー５０では、ボタンプレート５２の位置、すなわち、図５に示した携帯位置、図６、図７に示した使用位置を検出する検出手段を設け、その位置に応じてフォトプレーヤー１０の電源や液晶モニタ１４をＯＮ／ＯＦＦさせてもよい。
【００３３】
図８は、実施の形態のデジタルカメラ１００の携帯時の形態を正面から見た斜視図であり、図９は、デジタルカメラ１００の携帯時の携帯を背面から見た斜視図である。また、図１０は、デジタルカメラ１００の使用時の形態を背面から見た斜視図である。
【００３４】
このデジタルカメラ１００の本体ケース（装置本体）１０２は、幅方向に薄い扁平な略直方体の外観を呈するとともに、本体ケース１０２の高さ方向の寸法に対して幅方向の寸法が長い横長の形状を呈している。
【００３５】
また、本体ケース１０２の正面には図８の如く、レンズバリア１０４を備えた撮影レンズ（不図示）が配置されるとともに、右上隅部にはキセノンランプを備えたストロボ発光部１０６が配置されている。また、本体ケース１０２の上面には、撮影ボタン１０８が配置されている。この撮影ボタン１０８は、図１１の如くグリップを構成するカバー（カバー部材）１１２を把持したユーザーの右手１１４の人指し指によって半押し及び全押し操作される。半押し操作時にフォーカス調整が行われ、この後に全押し操作されることにより被写体像が前記撮影レンズを介して撮像素子に結像される。カバー１１２については後述する。
【００３６】
一方、本体ケース１０２の背面には図１０の如く、縦横比が９：１６の液晶モニタ（表示部）１１０が設けられている。この液晶モニタ１１０は、本体ケース１０２に対して可能な限り大画面サイズのものが使用されている。
【００３７】
また、本体ケース１０２には図９の如く、液晶モニタ１１０の画面全面を覆う帯状に形成されたカバー１１２が設けられている。カバー１１２は、可撓性プラスチック又はゴム等の変形可能な材料で作られており、液晶モニタ１１０を覆う第１の形態（図９参照）と、液晶モニタ１１０を露出するとともに本体ケース１０２の側方に円弧状に変形しグリップを構成する第２の形態（図１０、図１１参照）とに変形される。
【００３８】
帯状に形成されたカバー１１２は、プラスチック製の本体ケース１０２と一体形成され、図１０の本体ケース１０２の右側正面において連結されている。また、カバー１１２の左辺部は上下に係止部１１３（下部の係止部は不図示）が形成され、この係止部１１３が本体ケース１０２の上下面に形成されたレール１０３（下部のレールは不図示）に嵌合されている。この状態でカバー１１２の係止部１１３を、図９の始端位置から右方向にスライドさせると、液晶モニタ１１０の表示面が露出されていく。そして、図１０のレール１０３の終端位置において係止部１１３がレール１０３にそのフリクションにて係止されることにより、カバー１１２が第２の形態に維持される。
【００３９】
また、カバー１１２の右側平坦面１１４には、デジタルカメラ１００の撮影時に操作される操作ボタン群が配置される。操作ボタン群は、図１１に示すようにグリップ部として構成されたカバー１１２を把持したユーザーの右手４４の親指にて操作可能な位置に配置されている。
【００４０】
操作ボタンは、ズームボタン１１６、再生ボタン１１８、フォトモードボタン１２０、メニュー／ＯＫボタン１２２、十字ボタン１２４からなる。
【００４１】
ズームボタン１１６は、焦点距離をテレ側又はワイド側に調整する際に操作される。再生ボタン１１８は、撮影した画像を再生したい場合に操作される。フォトモードボタン１２０は、カラー撮影又は白黒撮影を切り替えるボタンである。メニュー／ＯＫボタン１２２は、液晶モニタ１１０の画面上にメニューを表示させる指令を行うためのメニューボタンとしての機能と、選択内容の確定及び実行などを指令するＯＫボタンとしての機能とを兼備した操作キーである。十字キー１２４は、上下左右の４方向に傾倒自在に設けられ、メニュー等の設定における各種設定項目の選択や、設定内容の変更及び記録した画像の消去を指示する操作キーとして使用される。
【００４２】
これらの操作ボタン１１６〜１２４は、図１２の如くカバー１１２の裏面に貼着されたフレキシブルプリント基板１２６に実装される。このフレキシブルプリント基板１２６のコネクタ部が、本体ケース１０２内に内蔵された図１３のＣＰＵ１３０に接続される。なお、フレキシブルプリント基板１２６には、目隠し用のシール１２８が貼着され、外から目視不能になっている。
【００４３】
このデジタルカメラ１００は、図１３の如く中央処理装置（ＣＰＵ）１３０によってその全体動作が統括制御されている。 ＣＰＵ１３０は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００４４】
バス１３２を介してＣＰＵ１３０と接続されたＲＯＭ１３４には、ＣＰＵ１３０が実行するプログラム及び制御に必要な各種データ等が格納され、ＥＥＰＲＯＭ１３６には、ＣＣＤ画素欠陥情報、カメラ動作に関する各種定数／情報等が格納されている。
【００４５】
また、メモリ（ＳＤＲＡＭ）１３８は、プログラムの展開領域及びＣＰＵ１３０の演算作業用領域として利用されるとともに、画像データや音声データの一時記憶領域として利用される。記録部（ＨＤＤ）１４０は画像データ専用の一時記憶メモリであって、デジタルカメラ１００の十字キー１２４の操作によって消去可能である。
【００４６】
撮影ボタン１０８は、撮影開始の指示を入力する操作ボタンであり、半押し時にオンになるＳ１スイッチと、全押し時にオンになるＳ２スイッチとを有する二段ストローク式のスイッチで構成されている。
【００４７】
液晶モニタ１１０は、ユーザインターフェース用表示画面としても利用され、必要に応じてメニュー情報や選択項目、設定内容などの情報が表示される。また、液晶モニタ１１０には、記録部１４０に記録された画像データが縮小されてサムネイル表示される。この液晶モニタ１１０は液晶ディスプレイであるが、これに代えて、有機ＥＬなど他の方式の表示装置を用いることも可能である。
【００４８】
デジタルカメラ１００は、メディアソケット１４２を有し、メディアソケット１４２には記録メディア１４４が装着される。記録メディア１４４の形態は特に限定されず、スマートメディア（商標）に代表される半導体メモリカード、可搬型小型ハードディスク、磁気ディスク、光ディスク、光磁気ディスクなど、種々の媒体を用いることができる。
【００４９】
メディアコントローラ１４６は、メディアソケット１４２に装着される記録メディア１４４に適した入出力信号の受渡しを行うために所要の信号変換を行う。
【００５０】
また、デジタルカメラ１００は、パソコンその他の外部機器と接続するための通信手段としてＵＳＢインターフェース部１４８を備えている。このＵＳＢインターフェース部１４８に接続された、通信端子であるコネクタに、不図示のＵＳＢケーブルを介して外部機器を接続することにより、外部機器との間で画像データ等のデータの受渡しが可能となる。もちろん、通信方式はＵＳＢに限らず、その他の通信方式を適用してもよい。
【００５１】
次に、デジタルカメラ１００の撮影機能について説明する。
【００５２】
モード選択スイッチ１５０によってａ端子のカメラモードが選択されると、カラーＣＣＤ固体撮像素子（以下ＣＣＤと記載）１５２を含む撮像部に電源が供給され、撮影可能な状態になる。実施の形態では、モード選択スイッチ１５０を図１０、図１１の如く本体ケース１０２の背面であって液晶モニタ１１０の右側に設け、カバー１１２を第２の形態に維持した状態でのみ操作可能となっている。なお、モード選択スイッチ１５０の配置位置は、これに限定されるものではなく、カバー１１２に配置してもよい。また、モード選択スイッチ１５０によってｂ端子の動画モードが選択されると、ＣＰＵ１３０は記録部（ＨＤＤ）１４０や記録メディア１４４に記録された画像を読み出し液晶モニタ１１０に表示させる。
【００５３】
また、デジタルカメラ１００の主電源は、図３に示したリーフスイッチ４０と同様のリーフスイッチによってカバー１１２の位置に基づき、第２の形態でＯＮ、第１の形態でＯＦＦされる。
【００５４】
図１３の鏡筒１５４は、撮影レンズ群１５６と絞り兼用メカシャッター１５８とを含む光学ユニットである。鏡筒１５４は、ＣＰＵ１３０によって制御されるレンズ駆動部１６０、絞り駆動部１６２によって電動駆動され、ズーム制御、フォーカス制御及びアイリス制御が行われる。
【００５５】
撮影レンズ群１５６を通過した光は、ＣＣＤ１５２の受光面に結像される。ＣＣＤ１５２の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ１５２は、各フォトダイオードの電荷蓄積時間（シャッタースピード）を制御する電子シャッター機能を有している。ＣＰＵ１５２は、タイミングジェネレータ１６４を介してＣＣＤ１５２での電荷蓄積時間を制御する。なお、ＣＣＤ１５２に代えてＭＯＳ型など他の方式の撮像素子を用いてもよい。
【００５６】
ＣＣＤ１５２の受光面に結像された被写体像は、各フォトダイオードによって入射光量に応じた量の信号電荷に変換される。各フォトダイオードに蓄積された信号電荷は、ＣＰＵ１３０の指令に従いタイミングジェネレータ１６４から与えられる駆動パルスに基づいて信号電荷に応じた電圧信号（画像信号）として順次読み出される。
【００５７】
ＣＣＤ１５２から出力された信号はアナログ処理部（ＣＤＳ／ＡＭＰ）１６６に送られ、ここで画素毎のＲ、Ｇ、Ｂ信号がサンプリングホールド（相関二重サンプリング処理）され、増幅された後、Ａ／Ｄ変換器１６８に加えられる。Ａ／Ｄ変換器１６８によってデジタル信号に変換された点順次のＲ、Ｇ、Ｂ信号は、画像入力コントローラ１７０を介してメモリ１３８に記憶される。
【００５８】
画像信号処理回路１７２は、メモリ１３８に記憶されたＲ、Ｇ、Ｂ信号をＣＰＵ１３０の指令に従って処理する。すなわち、画像信号処理回路１７２は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１３０からのコマンドに従ってメモリ１３８を活用しながら所定の信号処理を行う。
【００５９】
画像信号処理回路１７２に入力されたＲＧＢの画像データは、画像信号処理回路１７２において輝度信号及び色差信号に変換されるとともに、ガンマ補正等の所定の処理が施される。画像信号処理回路１７２で処理された画像データは記録部（ＨＤＤ）１４０に記録される。
【００６０】
撮影画像を液晶モニタ１１０にモニタ出力する場合、記録部（ＨＤＤ）１４０から画像データが読み出され、バス１３２を介してビデオエンコーダ１７４に送られる。ビデオエンコーダ１７４は、入力された画像データを表示用の所定方式の信号（例えば、ＮＴＳＣ方式のカラー複合映像信号）に変換して液晶モニタ１１０に出力する。
【００６１】
撮影ボタン１０８が半押しされ、Ｓ１がオンになると、デジタルカメラ１００はＡＥ及びＡＦ処理を開始する。すなわち、ＣＣＤ１５２から出力された画像信号はＡ／Ｄ変換後に画像入力コントローラ１７０を介してＡＦ検出回路１７６並びにＡＥ／ＡＷＢ検出回路１７８に入力される。
【００６２】
ＡＥ／ＡＷＢ検出回路１７８は、１画面を複数のエリア（例えば、１６×１６）に分割し、分割エリアごとにＲＧＢ信号を積算する回路を含み、その積算値をＣＰＵ１３０に提供する。ＣＰＵ１３０は、ＡＥ／ＡＷＢ検出回路１７８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１３０はＣＣＤ１５２の電子シャッター及びアイリスを制御して適正な露光量を得る。
【００６３】
また、ＡＥ／ＡＷＢ検出回路１７８は、自動ホワイトバランス調整時には、分割エリアごとにＲＧＢ信号の色別の平均積算値を算出し、その算出結果をＣＰＵ１３０に提供する。ＣＰＵ１３０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００６４】
デジタルカメラ１００におけるＡＦ制御は、例えば映像信号のＧ信号の高周波成分が極大になるようにフォーカシングレンズ（撮影レンズ群１５６を構成するレンズ光学系のうちフォーカス調整に寄与する移動レンズ）を移動させるコントラストＡＦが適用される。すなわち、ＡＦ検出回路１７６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００６５】
ＡＦ検出回路１７６で求めた積算値のデータはＣＰＵ１３０に通知される。ＣＰＵ１３０は、レンズ駆動部１６０を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部１６０を制御する。なお、ＡＦ評価値の演算はＧ信号を利用する態様に限らず、輝度信号（Ｙ信号）を利用してもよい。
【００６６】
撮影ボタン１０８が半押しされ、Ｓ１オンによってＡＥ／ＡＦ処理が行われ、撮影ボタン１０８が全押しされ、Ｓ２オンによって記録用の撮影動作がスタートする。Ｓ２オンに応動して取得された画像データは画像信号処理回路１７２において輝度／色差信号（Ｙ／Ｃ信号）に変換され、ガンマ補正等の所定の処理が施された後、メモリ１３８に格納される。
【００６７】
メモリ１３８に格納されたＹ／Ｃ信号は、圧縮伸張回路１８０によって所定のフォーマットに従って圧縮された後、記録部（ＨＤＤ）１４０に記録されたり、メディアコントローラ５０を介して記録メディア１４４に記録されたりする。例えば、静止画についてはＪＰＥＧ形式で記録される。
【００６８】
モード選択スイッチ１５０によりｂ端子の再生モードが選択されると、記録部（ＨＤＤ）１４０、又は記録メディア１４４に記録されている最終の画像ファイル（最後に記録されたファイル）の圧縮データが読み出される。最後の記録に係るファイルが静止画ファイルの場合、この読み出された画像圧縮データは、圧縮伸張回路１８０を介して非圧縮のＹＣ信号に伸張され、画像信号処理回路１７２及びビデオエンコーダ１７４を介して表示用の信号に変換された後、液晶モニタ１１０に出力される。これにより、当該ファイルの画像内容が液晶モニタ１１０の画面上に表示される。
【００６９】
再生ボタン１１８の操作による静止画の一コマ再生中に、十字キー１２４の右キー又は左キーを操作することによって、再生対象のファイルを切り換えること（順コマ送り／逆コマ送り）ができる。コマ送りされた位置の画像ファイルが記録メディア１４４から読み出され、上記と同様にして静止画像や動画が液晶モニタ１１０に再生表示される。以上がデジタルカメラ１００の全体構成である。
【００７０】
次に、前記の如く構成されたデジタルカメラ１００の使用方法について説明する。
【００７１】
デジタルカメラ１００にて被写体を撮像する場合には、カバー１１２を図９に示した第１の形態から図１０に示した第２の形態に変形させる。これにより、図３に示したリーフスイッチ４０と同様のリーフスイッチがＯＮになり、デジタルカメラ１００に電源が投入される。この後、モード選択スイッチ１５０によってａ端子のカメラモードを選択し、レンズバリア１０４を電動にて開放するとともに、グリップ部として機能するカバー１１２を図１１の二点鎖線の如くユーザーの右手４４で把持し、撮影ボタン１０８をレリーズ操作する。これにより、被写体が撮像され、被写体の画像データが記録部（ＨＤＤ）１４０、又は記録メディア１４４に選択されて記録される。
【００７２】
次に、撮像した画像を観賞する場合には、モード選択スイッチ１５０によってｂ端子の再生モードを選択し、レンズバリア１０４を電動にて閉鎖するとともに、グリップ部として機能するカバー１１２を図１１の二点鎖線の如くユーザーの右手４４で把持し、再生ボタン１１８、十字キー１２４等を適宜操作することにより、記録部（ＨＤＤ）１４０、又は記録メディア１４４に記録された画像を選択的に読み出して液晶モニタ１１０に表示する。これにより、デジタルカメラ１００の液晶モニタ１１０にて画像を観賞することができる。
【００７３】
そして、デジタルカメラ１００を携帯する際には、カバー１１２を図１０、図１１に示した第２の形態から図８、図９に示した第１の形態に変形させる。これにより、図３に示したリーフスイッチ４０と同様のリーフスイッチがＯＦＦになり、デジタルカメラ１００の電源がＯＦＦになる。この時、レンズバリア１０４が開放されていた場合には、レンズバリア１０４が電動にて閉鎖する。この状態でデジタルカメラ１００を携帯する。
【００７４】
したがって、このように構成されたデジタルカメラ１００によれば、変形可能なカバー１１２を本体ケース１０２に設け、携帯時には、液晶モニタ１１０の全面を覆う第１の形態にカバー１１２を変形させ、使用時にはグリップを構成する第２の形態にカバー１１２を変形させるので、大画面の液晶モニタ１１０が設けられたデジタルカメラ１００において、液晶モニタ１１０の全面をカバー１１２によって保護することができる。また、携帯時にはグリップ部が存在しないので、携帯時における本体ケース１０２を小型化することができる。更に、撮影時及び画像の観賞時には、カバー１１２がグリップ部として機能するので、小型化された本体ケース１０２の操作時のグリップ性が向上する。
【００７５】
また、デジタルカメラ１００は、カバー１１２が第２の形態であることがリーフスイッチのＯＮ動作によって検出されると、ＣＰＵ１３０が液晶モニタ１１０を自動的にＯＮにし、且つカバー１１２が第１の形態であることがリーフスイッチのＯＦＦ動作によって検出されると、ＣＰＵ１３０が液晶モニタ１１０を自動的にＯＦＦにする。これにより、カバー１１２の形態を変更する動作によって液晶モニタ１１０を、その形態に対応したＯＮ状態とＯＦＦ状態とに自動的に切り替えることができる。
【００７６】
更に、デジタルカメラ１００は、カバー１１２が第２の形態であることがリーフスイッチのＯＮ動作によって検出されると、デジタルカメラ１００の電源が自動的にＯＮになり、且つカバー１１２が第１の形態であることがリーフスイッチのＯＦＦ動作によって検出されると、デジタルカメラ１００の電源が自動的にＯＦＦになる。これにより、カバー１１２の形態を変更する動作によってデジタルカメラ１００を自動的にＯＮ、ＯＦＦすることができる。
【００７７】
また、デジタルカメラ１００は、液晶モニタ１１０等を操作する各種操作ボタン１１６〜１２０、各種キー１２２、１２４をカバー１１２に設けたので、カバー１１２がグリップ部を構成する第２の形態に変形した際に、カバー１１２を握るユーザーの右手４４によって各種操作ボタン１１６〜１２０、各種キー１２２、１２４を容易に操作できるようになる。これにより、各種操作ボタン１１６〜１２０、各種キー１２２、１２４の操作性が飛躍的に向上する。
【００７８】
図１４〜図１６は、他の実施の形態のデジタルカメラ２００が示され、図８〜図１３に示したデジタルカメラ１００と同一又は類似の部材については同一の符号を付し、その説明は省略する。
【００７９】
図１４は、デジタルカメラ２００の撮影時、画像再生時、及び携帯時の形態を正面から見た斜視図であり、図１５は、図１４に示したデジタルカメラ２００を背面から見た斜視図である。また、図１６は、デジタルカメラ２００の撮影時、及び画像再生時の形態を背面から見た斜視図である。
【００８０】
このデジタルカメラ２００は、図１６に示す本体ケース１０２の背面に光学ファインダ２０１の接眼部２０２が設けられ、接眼部２０２に対応する本体ケース１０２の正面側には光学ファインダ２０１の対物部２０４が設けられている。
【００８１】
接眼部２０２は、本体ケース１０２の背面であって液晶モニタ１１０の左側方に形成された平面部２０６の上部に設けられている。また、平面部２０６には、各種操作ボタン１１６〜１２０、各種キー１２２、１２４が配置され、キー１２４の下方には電源スイッチ２０８、及びモード選択スイッチ１５０が配置されている。
【００８２】
一方、液晶モニタ１１０を覆うカバー１１２は、液晶モニタ１１０に対応した部分が切除され、その切除した矩形状開口部２１０に透明の視野角制限フィルム２１２が取り付けられている。これにより、液晶モニタ１１０は、カバー１１２によって覆われた第１の形態時においても、視野角制限フィルム２１２を介して視認可能となっている。なお、このデジタルカメラ２００は、図３に示したリーフスイッチ４０と同様のリーフスイッチは有しておらず、電源のＯＮ／ＯＦＦは、電源スイッチ２０８によって行われる。
【００８３】
次に、前記の如く構成されたデジタルカメラ２００の使用方法について説明する。
【００８４】
デジタルカメラ２００にて被写体を撮像する場合には、まず、電源スイッチ２０８によって電源をＯＮにし、次に、モード選択スイッチ１５０によって撮影モードを選択する。この時、図１６の如くカバー１１２を第２の形態に変形させて撮影ボタン１０８をレリーズ操作してもよく、図１５の如くカバー１１２を第１の形態に変形させて撮影ボタン１０８をレリーズ操作してもよい。すなわち、デジタルカメラ２００自体の電源はＯＮになっており、光学ファインダ２０１を使用することにより被写体を問題なく撮影できるからである。撮影された被写体の画像データは、デジタルカメラ２００に内蔵されている記録部、又は記録メディアに記録される。
【００８５】
次に、記録された画像を観賞する場合には、モード選択スイッチ１５０によって再生モードを選択し、この後、再生ボタン１１８、十字キー１２４を適宜操作することにより、記録部、又は記録メディアに記録された画像を読み出して液晶モニタ１１０に表示する。これにより、デジタルカメラ２００の液晶モニタ１１０にて画像を観賞することができる。この時、図１６の如くカバー１１２を第２の形態に変形させて観賞してもよく、図１５の如くカバー１１２を第１の形態に変形させて観賞してもよい。図１５の形態において、液晶モニタ１１０に表示された画像は、視野角制限フィルム２１２を介して観賞できる。
【００８６】
そして、デジタルカメラ２００を携帯する際には、カバー１１２を図１４、図１５に示した第１の形態に変形させる。この状態でデジタルカメラ２００を携帯する。
【００８７】
したがって、このように構成されたデジタルカメラ２００によれば、本体ケース１０２のカバー１１２によって覆われない位置に光学ファインダ２０１を設けるとともに、個別の電源スイッチを設けたので、カバー１１２の変形形態にかかわらず、撮影を行うことができる。
【００８８】
なお、上記実施例では、カバー１６、１１２を全開放させる例を説明したが、カバー１６、１１２は、不図示のクリック機構により、中間位置まで開いた位置に係止され、縦横比が３：４の画面を露出してその画面に画像を表示するようにしてもよい。また、この位置を検出する位置検出手段を持ち、位置検出出力に応じて、表示画面のコントローラを制御して、自動的に表示画面の縦横比や、表示位置（左側に寄せる等）を制御してもよい。
【図面の簡単な説明】
【００８９】
【図１】実施の形態のフォトプレーヤーの携帯時の形態を正面から見た斜視図
【図２】図１に示したフォトプレーヤーの使用時の形態を正面から見た斜視図
【図３】図１のフォトプレーヤーの構成を示したブロック図
【図４】カバーがグリップ部として機能しているフォトプレーヤーの斜視図
【図５】フォトプレーヤーの別実施例の携帯時の形態を示した斜視図
【図６】図５に示したフォトプレーヤーの使用時の形態を示した斜視図
【図７】カバーがグリップ部として機能している図６のフォトプレーヤーの斜視図
【図８】実施の形態のデジタルカメラの携帯時の形態を正面から見た斜視図
【図９】図８に示したデジタルカメラの携帯時の携帯を背面から見た斜視図
【図１０】図８に示したデジタルカメラの使用時の形態を背面から見た斜視図
【図１１】カバーがグリップ部として機能しているデジタルカメラの斜視図
【図１２】図９に示したデジタルカメラのカバーの断面図
【図１３】図８に示したデジタルカメラの全体構成を示したブロック図
【図１４】別実施例のデジタルカメラの撮影時、画像再生時、及び携帯時の形態を正面から見た斜視図
【図１５】図１４に示したデジタルカメラを背面から見た斜視図
【図１６】図１４のデジタルカメラの撮影時、及び画像再生時の形態を背面から見た斜視図
【符号の説明】
【００９０】
１０、５０…フォトプレーヤー、１２…本体ケース、１４…液晶モニタ、１６…カバー、１８、２０、２２…操作ボタン、２４…ＣＰＵ、４０…リーフスイッチ、５２…ボタンプレート、１００…デジタルカメラ、１０２…本体ケース、１０８…撮影ボタン、１１０…液晶モニタ、１１２…カバー、２００…デジタルカメラ、２０１…光学ファインダ、２１２…視野角制限フィルム
【図１】
2007163589.tif 000003
【図２】
2007163589.tif 000004
【図３】
2007163589.tif 000005
【図４】
2007163589.tif 000006
【図５】
2007163589.tif 000007
【図６】
2007163589.tif 000008
【図７】
2007163589.tif 000009
【図８】
2007163589.tif 000010
【図９】
2007163589.tif 000011
【図１０】
2007163589.tif 000012
【図１１】
2007163589.tif 000013
【図１２】
2007163589.tif 000014
【図１３】
2007163589.tif 000015
【図１４】
2007163589.tif 000016
【図１５】
2007163589.tif 000017
【図１６】
2007163589.tif 000018